(57)【要約】【課題】部品点数を削減し、ソケットに対して反射体の外部から電線の挿入および解除ができる照明装置を提供する。【解決手段】照明装置10は、ソケット22および反射体23を備える。ソケット22は、ランプ装置11が回動により装着される。ソケット22は、中央にランプ装置11の突出部17が挿通される挿通口35が設けられるとともに周辺部に複数の端子部42が設けられたソケット本体30、端子部42に配設されランプ装置11の電極ピン19が電気的に接続される複数のピン受端子、および端子部42に配設された複数の電源端子を有する。端子部42には電源端子に電気的に接続される電線が挿入される電線挿入孔45が設けられているとともに電源端子から電線を解除させる解除部46が設けられている。反射体23は、ソケット22の電線挿入孔45および解除部46を外部に露出させて、ソケット22を収容する。【選択図】図１
2016181433.tif 000002
【特許請求の範囲】
【請求項１】
中央にランプ装置の突出部が挿通される挿通口が設けられるとともに周辺部に複数の端子部が設けられたソケット本体、前記端子部に配設され前記ランプ装置の電極ピンが電気的に接続される複数のピン受端子、および前記端子部に配設された複数の電源端子を有し、前記端子部には前記電源端子に電気的に接続される電線が挿入される電線挿入孔が設けられているとともに前記電源端子から前記電線を解除させる解除部が設けられており、前記ランプ装置が回動により装着されるソケットと；
前記ソケットの前記電線挿入孔および前記解除部を外部に露出させて、前記ソケットおよび前記ソケットに装着される前記ランプ装置を収容する反射体と；
を具備することを特徴とする照明装置。
【請求項２】
前記反射体は、前記ランプ装置からの光が通過するとともに前記解除部が露出する照射開口、および前記電線挿入孔が露出する挿入開口を有する
ことを特徴とする請求項１記載の照明装置。
【請求項３】
前記反射体は、前記ランプ装置からの光が通過する照射開口、前記解除部が露出する解除開口、および前記電線挿入孔が露出する挿入開口を有する
ことを特徴とする請求項１記載の照明装置。
【発明の詳細な説明】
【技術分野】
【０００１】
本発明の実施形態は、ランプ装置を装着するソケットを備えた照明装置に関する。
【背景技術】
【０００２】
従来、例えばＧＸ５３形口金、ＧＨ７６ｐ形口金およびＧＨ６９ｈ形口金等の口金を用いたフラット形のランプ装置を用いるダウンライト等の照明装置がある。
【０００３】
この照明装置では、ランプ装置を装着するためのソケットと、このソケットおよびこのソケットに装着されたランプ装置を収容する反射体とを備えている。さらに、外部に端子台を配設し、この端子台とソケットとを電線で接続している。端子台には、電源を供給する給電用の電線が接続される。
【０００４】
一般に、照明装置を設置場所から外せるように、端子台は電線を外すための解除部を備えているが、ソケットは端子台との間の電線を外すことがないとともに反射体内に収納されているために電線の解除操作が困難であることから解除部を備えていない。
【０００５】
照明装置において、部品点数の削減が望まれるが、端子台を削除し、ソケットに端子台の機能を付加することは困難であった。これは、反射体に収容されるソケットに対して、反射体の外部から電線を挿入したり、電線の解除をすることが難しいことによる。
【先行技術文献】
【特許文献】
【０００６】
【特許文献１】特許第５３４４０９２号公報
【発明の概要】
【発明が解決しようとする課題】
【０００７】
本発明が解決しようとする課題は、部品点数を削減し、ソケットに対して反射体の外部から電線の挿入および解除ができる照明装置を提供することである。
【課題を解決するための手段】
【０００８】
実施形態の照明装置は、ソケットおよび反射体を備える。ソケットは、ランプ装置が回動により装着される。ソケットは、中央にランプ装置の突出部が挿通される挿通口が設けられるとともに周辺部に複数の端子部が設けられたソケット本体、端子部に配設されランプ装置の電極ピンが電気的に接続される複数のピン受端子、および端子部に配設された複数の電源端子を有する。端子部には電源端子に電気的に接続される電線が挿入される電線挿入孔が設けられているとともに電源端子から電線を解除させる解除部が設けられている。反射体は、ソケットの電線挿入孔および解除部を外部に露出させて、ソケットおよびソケットに装着されるランプ装置を収容する。
【発明の効果】
【０００９】
本発明によれば、部品点数を削減し、ソケットに対して反射体の外部から電線の挿入および解除を行えることが期待できる。
【図面の簡単な説明】
【００１０】
【図１】第１の実施形態を示す照明装置の側面図である。
【図２】同上照明装置のソケットの底面部である。
【図３】同上照明装置の使用状態を説明する説明図である。
【図４】第２の実施形態を示す照明装置の側面図である。
【発明を実施するための形態】
【００１１】
以下、第１の実施形態を、図１ないし図３を参照して説明する。
【００１２】
図１に示すように、照明装置10は、例えばダウンライト等の天井埋込形照明装置である。照明装置10は、光源としてランプ装置11が用いられる。
【００１３】
ランプ装置11は、筐体12、筐体12の下面側に配設される発光部13、この発光部13を覆う透光カバー14、筐体12の上面側に配設される例えばＧＸ５３形の口金15、および口金15と筐体12との間に収容される電源回路16等を備えている。口金15は、上面中央に円筒状の突出部17が突設され、この突出部17の周面に略Ｌ字形のキー溝18が形成されている。口金15の上面周辺部で突出部17の側方に一対の電極ピン19が突設されている。電極ピン19は、ピン部19aの先端に径大部19bを有する断面Ｔ字形に形成されている。
【００１４】
そして、照明装置10は、天板21、この天板21にそれぞれ取り付けられたソケット22および反射体23を備えている。
【００１５】
天板21は、例えば金属板によって平板状に形成されている。
【００１６】
また、ソケット22は、ソケット本体30、ピン受端子31および電源端子32を備えている。本実施形態では、ソケット22は、ピン受端子31と電源端子32とが一体に形成された端子33を備えている。
【００１７】
ソケット本体30は、絶縁性を有する樹脂材料によって円環状に形成されている。ソケット本体30の中央には、ランプ装置11の突出部17が挿通される挿通口35が形成されている。挿通口35の内周面には、突出部17のキー溝18が係合するキー36が突設されている。ソケット本体30は複数のねじ37によって天板21に取り付けられている。
【００１８】
ソケット本体30の表面である下面には、ソケット本体30の中心に対して対称となる位置に、一対の電極ピン挿入孔39が形成されている。電極ピン挿入孔39は、周方向の一端側に電極ピン19の径大部19bが挿通可能な孔部39aが形成されているとともにこの孔部39aから周方向の他端側に向けて電極ピン19のピン部19aが移動可能な溝部39bが形成されている。
【００１９】
ソケット本体30には、ピン受端子部40および電源端子部41が形成されている。本実施形態では、ソケット本体30には、ピン受端子部40と電源端子部41とが一体に形成された端子部42が形成されている。端子部42には、端子33を収容するとともに電極ピン挿入孔39が連通する端子収容空間43が形成されている。
【００２０】
端子部42はソケット本体30の径方向に対して直交する方向に長く形成されている。この端子部42の長手方向の両端部には、端子33に電気的に接続される例えばＦケーブル等の電線44が所定の挿入方向Ｐから挿入される電線挿入孔45が形成されている。電線挿入孔45は、上下方向に２つ並設されている。
【００２１】
端子部42の電源挿入孔45が形成された端面に対して直交する側面には、端子33に接続された電線44を端子33から外すための解除部46が設けられている。解除部46は、端子部42の両端の電線挿入孔45の近傍にそれぞれ設けられている。解除部46は、例えば、解除ボタン46aを備え、解除ボタン46aを側方から端子部42内に押し込むことにより、解除ボタン46aで端子33を電線44から離反させ、電線44の取り外しを可能とする。なお、解除部46は、端子部42の側面に設けた解除孔でもよく、この場合には、外部から解除孔に解除治具を差し込んで、解除治具で端子33を電線44から離反させ、電線44の取り外しを可能とする。
【００２２】
端子33は、導電性を有する板ばね材によって形成されている。端子33の中間部には、電極ピン挿入孔39に挿入されて溝部39b上に移動する電極ピン19の径大部19bに電気的に接続されるとともに電極ピン19の径大部19bを保持する電極ピン接続部47が設けられている。端子33の両端部には、端子33に挿入された電線44に電気的に接続されるとともに電線44を係止して抜け止めする鎖錠部48が形成されている。
【００２３】
端子33は、端子部42の上下に２つの電線挿入孔45の位置に対応して、端子部42内に上下に２つ配設されるとともに互いに電気的に接続されているか、上下に２つの鎖錠部48を有する一体構造に形成されて端子部42内に配設されている。
【００２４】
また、反射体23は、例えば金属材料や樹脂材料によって形成されている。反射体23は、上下面が開口され、上部側から下部側にかけて拡径する円筒状に形成されている。反射体23の上部が天板21に取り付けられている。反射体23の下面には、照射開口23aが形成されている。
【００２５】
反射体23には、ソケット22の一対の端子部42の両端面に設けられた電線挿入孔45にそれぞれ対向してこれら電線挿入孔45を反射体23の外部に露出させる挿入開口50が形成されている。さらに、反射体23には、ソケット22の一対の端子部42の側面の解除部46にそれぞれ対向してこの解除部46を反射体23の外部に露出させる解除開口51が形成されている。したがって、反射体23の周面上部側には、円周上に挿入開口50および解除開口51がそれぞれ４つずつ形成されている（図３参照）。
【００２６】
そして、照明装置10を設置する際には、給電用の一対の電線44（電源線44a）を二股状に分けて、反射体23の一対の挿入開口50から一対の端子部42の一端の電線挿入孔45の上下いずれか一方にそれぞれ挿入し、端子33に電気的に接続する。また、他の照明装置10に電源を供給する送り配線を行う場合には、送り配線用の一対の電線44（送り配線44b）を二股状に分けて、反射体23の一対の挿入開口50から端子部42の一端の電線挿入孔45の上下方向のいずれか他方、または反射体23の一対の挿入開口50から端子部42の他端の電線挿入孔45の上下方向のいずれか一方にそれぞれ挿入し、端子33に電気的に接続する。
【００２７】
例えば図３に示すように、複数の照明装置10に送り配線を接続して電源を供給することができる。この場合、端子部42の一端から給電用の電線44（電源線44a）が接続されていても、端子部42の一端および他端の両端に送り配線用の電線44（送り配線44b）を接続することができ、照明装置10間の送り配線を容易にできるとともに、電線44（送り配線44b）に無理な曲げ力が加わる虞が少なくなり、電線44（送り配線44b）と端子33との電気的な接続の信頼性を向上させることができる。
【００２８】
また、端子部42に接続した電線44を外す場合には、反射体23の解除開口51から解除部46の解除ボタン46aを側方から端子部42内に押し込むことにより、解除ボタン46aで端子33を電線44から離反させ、電線44を端子部42から抜き外す。
【００２９】
また、照明装置10にランプ装置11を装着するには、突出部17をソケット22の挿通口35に挿入するとともに電極ピン19をソケット22の電極ピン挿入孔39の孔部39aに挿入し、ランプ装置11を所定の装着方向に回動させることにより、電極ピン19が電極ピン挿入孔39の溝部39bに移動し、電極ピン19の径大部19bが端子33に電気的に接続されるとともに、突出部17のキー溝18がソケット22のキー36に引っ掛かってランプ装置11がソケット22に支持される。
【００３０】
また、電線44、端子33および電極ピン19を通じて電源回路16に電源が供給されると、発光部13が発光し、発光部13からの光が反射体23の照射開口23aから下方へ照射される。
【００３１】
そして、本実施形態の照明装置10では、ソケット22が電源を供給する電線44（電源線44aおよび送り配線44b）を直接接続することができる端子台機能を有するため、端子台を削減し、部品点数を削減できる。
【００３２】
しかも、ソケット22は反射体23に収容されるが、反射体23はソケット22の電線挿入孔45および解除部46を外部に露出させているため、ソケット22に対して反射体23の外部から電線44の挿入および解除を行うことができる。
【００３３】
また、反射体23に電線挿入孔45が露出する挿入開口50および解除部46が露出する解除開口51をそれぞれ設けているため、電線44の挿入および解除を容易に行うことができる。
【００３４】
さらに、反射体23の上部側に挿入開口50および解除開口51を設けているため、反射体23内を下方から上方へ抜ける通気路が形成され、反射体23内の熱を外部に排気することができ、ランプ装置11の放熱性を向上させることができる。
【００３５】
次に、図４に第２の実施形態を示す。なお、第１の実施形態と同じ構成については同じ符号を用い、その構成および作用効果の説明を省略する。
【００３６】
端子部42の電線挿入孔45は、横方向（水平方向）に２つ並設されている。
【００３７】
端子33は、端子部42の上下に２つの電線挿入孔45の位置に対応して、端子部42内の横方向（水平方向）に２つ配設されているとともに互いに電気的に接続されているか、横方向（水平方向）に２つの鎖錠部48を有する一体構造に形成されて端子部42内に配設されている。
【００３８】
端子部42の電線挿入孔45が形成された端面に対して直交する下面に、解除部46が設けられている。解除部46は、端子部42の両端の電線挿入孔45の近傍にそれぞれ設けられている。解除部46は、例えば、解除ボタン46aを備えるが、解除治具を差し込んで解除操作可能な解除孔でもよい。
【００３９】
反射体23には、ソケット22の一対の端子部42の両端に設けられた電線挿入孔45にそれぞれ対向してこれら電線挿入孔45を反射体23の外部に露出させる挿入開口50が形成されている。さらに、反射体23には、ソケット22の一対の端子部42の下面の解除部46に対向してこの解除部46を反射体23の外に露出させる解除開口51が形成されている。解除開口51は、反射体23の下面の照射開口23aによって構成されている。反射体23の周面上部側には、円周上に４つの挿入開口50が形成されている。
【００４０】
そして、第２の実施形態の照明装置10においても、ソケット22が電源を供給する電線44（電源線44aおよび送り配線44b）を直接接続することができる端子台機能を有するため、端子台を削減し、部品点数を削減できる。
【００４１】
しかも、ソケット22は反射体23に収容されるが、反射体23はソケット22の電線挿入孔45および解除部46を外部に露出させているため、ソケット22に対して反射体23の外部から電線44の挿入および解除を行うことができる。
【００４２】
また、反射体23に電線挿入孔45が露出する挿入開口50および解除部46が露出する解除開口51である照射開口23aを設けているため、電線44の挿入および解除を容易に行うことができる。
【００４３】
さらに、反射体23の上部側に挿入開口50を設けているため、反射体23内を下方から上方へ抜ける通気路が形成され、反射体23内の熱を外部に排気することができ、ランプ装置11の放熱性を向上させることができる。
【００４４】
なお、ピン受端子31が配設されるピン受端子部40と電源端子32が配設される電源端子部41とは、ソケット本体30の別々の場所に配設してもよい。例えば、ピン受端子部40と電源端子部41は、ソケット本体30の周方向の異なる位置に配設してもよいし、ソケット本体30の径方向または高さ方向の異なる位置に配設してもよい。
【００４５】
また、ランプ装置11およびソケット22は、ＧＸ５３形口金に対応したものに限らず、ＧＨ７６ｐ形口金やＧＨ６９ｈ形口金に対応したものでもよい。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
10    照明装置
11    ランプ装置
17    突出部
19    電極ピン
22    ソケット
23    反射体
23a   照射開口
30    ソケット本体
31    ピン受端子
32    電源端子
35    挿通口
42    端子部
44    電線
45    電線挿入孔
46    解除部
50    挿入開口
51    解除開口
【図１】
2016181433.tif 000003
【図２】
2016181433.tif 000004
【図３】
2016181433.tif 000005
【図４】
2016181433.tif 000006